(57)【要約】【課題】  室内でゴルフクラブなどの細長物体を見栄え良く整理・陳列でき、ゴルフバッグとしても利用可能な道具およびゴルフバッグを提供すること。【解決手段】  本発明の道具は、底板４と、上部材１と、底板４と上部材１とを連結して上部材１を所定の高さに保持する複数の支柱（３ａ〜３ｃ）と、底板４から支柱（３ａ〜３ｄ）によって前記所定の高さ付近の高さに保持された中仕切り部材２とを備え、上部材１は、使用者に向いた方向に切り欠きが形成され、中仕切り部材２は、支柱（３ａ〜３ｄ）で囲まれた内側に延びた形状とされている。中仕切り部材２は、両端を結ぶ仮想線が、切り欠きを通して延びる向きに配置されていても良いし、中仕切り部材２を直線部材から形成されていても良い。また、細長物体を道具に固定するための固定部材を中仕切り部材２に配置することもできる。【選択図】図１
2015019675.tif 000002
【特許請求の範囲】
【請求項１】
底板と、上部材と、底板と上部材とを連結して上部材を所定の高さに保持する複数の支柱と、底板から支柱によって前記所定の高さ付近の高さに保持された中仕切り部材とを備え、上部材は、使用者に向いた方向に切り欠きが形成され、中仕切り部材は、支柱で囲まれた内側に延びた形状とされたことを特徴とする、細長物体を収納する道具。
【請求項２】
中仕切り部材は、両端を結ぶ仮想線が、切り欠きを通して延びる向きに配置されたことを特徴とする、請求項１に記載の道具。
【請求項３】
中仕切り部材は、棒状の部材から形成され、細長物体を道具に固定するための固定部材が配置されたことを特徴とする、請求項１に記載の道具。
【請求項４】
底板の上面には、上部材の曲率に対応する形状で細長物体の一端を収容する溝が形成されたことを特徴とする、請求項１に記載の道具。
【請求項５】
上部材および中仕切り部材は、隙間にレールが固定され、レールに固定部材が移動可能に取り付けられたことを特徴とする、請求項１〜３のいずれか１項に記載の道具。
【請求項６】
固定部材は、一部分を上部材または中仕切り部材に付随するレールの隙間に差し入れ、先端部分を回転させることにより、または内外から挟み込むことにより、または径方向からのネジ留するかいずれか１つまたは複数の機構によりレールに固定することを特徴とする、請求項１〜３のいずれか１項に記載の道具。
【請求項７】
固定部材は、細長物体を固定する部材が、細長物体の外径より小さい内径となっていることを特徴とする、請求項１〜３のいずれか１項に記載の道具。
【請求項８】
前記請求項１の道具と、前記道具を収容するカバーとを備える、ゴルフバッグ。
【発明の詳細な説明】
【技術分野】
【０００１】
この発明は、ゴルフクラブなどの細長物体を収納するための道具及びバッグに関する。
【０００２】
ゴルフクラブなどの技術革新や多様化が進み、また新商品だけでなく、中古のゴルフクラブを取り扱う小売店が増加したことにより、ゴルファーが所有するゴルフクラブの本数は増える傾向にある。こういった環境にも拘わらず、ゴルフクラブを保管する方法としては、使わなくなったゴルフバッグに詰め込んだり、入りきらないゴルフクラブは紐で縛り、物置の中に置かれていたりする。その他にもゴルフクラブは無造作に部屋の隅に置かれていたり、もしくはゴルフクラブ専用ではない容器に入れられているのが現状である。
【０００３】
ゴルファーにとってゴルフクラブは、プレーの成績を左右する道具であると共に、大切なコレクションでもある場合が多い。しかしながら、コレクションとして楽しめるような道具は少数である。また、従来のゴルフバッグの取り出し口の形状の多くは、数部屋に分けられるように仕切りが設けられており、この仕切りだけではゴルフクラブ同士が相互衝突を起こしゴルフクラブに傷を付けてしまう場合もある。また、取り出し口がバッグの上部にのみ設けられている為にゴルフクラブを出し入れするためには、上方向へゴルフクラブの長さ分引き上げて取り出さなければならない。また、ゴルフバッグのみの用途に限られてしまう。
【０００４】
特許文献１のUS2010／0294681 A1によれば、ゴルフバッグ本体内側の側面を囲む形でゴルフクラブを収納する凹みが等間隔に設置されたゴルフバッグが記載されている。そして、ゴルフプレーのルールである、プレー時に持ち込んでよいゴルフクラブの数の上限14本を収納可能にする為には、バッグの外周自体を大きくする以外ない。また、ゴルフクラブのヘッド部分の相互衝突を防ぐには、凹みの間隔をヘッド部分が大きいドライバーやフェアウェイウッドのサイズに合わせて設けなければならない為、いずれにしてもバッグ自体の大きさが一般に多く出回っているゴルフバッグのサイズのよりも大きくなる。その為、持ち運びや自動車のトランクへの収納、ゴルフ場でのゴルフカートへの収納が不便である。また、ゴルフバッグ本体カバーを取り外すことはできない為、ゴルフバッグのみの用途に限られている。
【先行技術文献】
【特許文献】
【０００５】
【特許文献１】US2010／0294681 A1
【発明の概要】
【０００６】
本発明は、上述した従来技術の問題点を解決するためになされたものであり、ゴルフクラブなどの細長物体を収納し、また取り出し容易に保持し、必要に応じてバッグなどに収容して持ち運び可能な細長物体用の道具および当該道具を備えるゴルフバッグを提供することを目的とする。
【課題を解決するための手段】
【０００７】
本発明によれば、底板と、上部材と、底板と上部材とを連結して上部材を所定の高さに保持する複数の支柱と、底板から支柱によって前記所定の高さ付近の高さに保持された中仕切り部材とを備え、上部材は、使用者に向いた方向に切り欠きが形成され、中仕切り部材は、支柱で囲まれた内側に延びた形状とされたことを特徴とする、細長物体を収納する道具が提供できる。
【０００８】
本発明の中仕切り部材は、両端を結ぶ仮想線が、切り欠きを通して延びる向きに配置されても良い。また、中仕切り部材は、棒状部材から形成され、細長物体を道具に固定するための固定部材が配置されていても良い。
【０００９】
また、本発明では、底板の上面には、上部材の曲率に対応する形状で細長物体の一端を収容する溝が形成されていても良い。また、上部材と中仕切り部材は、隙間にレールが固定され、レールに固定部材が移動可能に取り付けられていても良い。さらに、固定部材は、一部分を上部材または中仕切り部材に付随するレールの隙間に差し入れ、先端部分を回転させることにより、または内外から挟み込むことにより、または径方向からのネジ留するかいずれか１つまたは複数の機構によりレールに固定することができても良い。
【００１０】
固定部材は、細長物体を固定する部材が、細長物体の外径より小さい内径となっていてもよい。また、本発明は、上述の道具と、前記道具を収容するカバーとを備える、ゴルフバッグを提供することができる。
【００１１】
本発明によれば内部にゴルフクラブの取り出しやすさを考慮された中仕切りを設けることで、内側の側面だけでなく、中仕切り部分にも固定器具を設置することができ、プレイヤーが使い慣れた一般に出回っているゴルフバッグのサイズにすることができる。また、中仕切りを設けることで、ゴルフクラブの種類ごとに収納できる為、ゴルフクラブを選ぶ際に探しやすくなる。
【００１２】
さらに本発明によれば、ゴルフクラブなどのシャフト部分を固定するための器具を可動式にすることで、ゴルフバッグ内でのゴルフクラブとゴルフクラブの間隔を自由に設定できる。また、本発明によれば、固定器具のゴルフクラブのシャフト部分を固定する器具の内径をシャフトの外径よりも小さくすることによって、ゴルフクラブのヘッドの向きを３６０度好きな方向に固定することが出来るため、可動式の器具と組み合わせることでゴルフクラブ同士の相互衝突による傷を防ぐことができる。さらに、ゴルフバッグとしてだけでなく、室内でゴルフクラブを保管するゴルフクラブスタンドしても利用することができる。尚、ゴルフクラブスタンドとして使用する場合にも、各人好みが異なるゴルフクラブの設置位置、ゴルフクラブのヘッドの角度を自由に設定出来るため、プレーの楽しみに加えて室内においても道具を美しくディスプレイするという楽しみ、そして眺めるという楽しみを提供することができる。
【図面の簡単な説明】
【００１３】
【図１】本実施形態のゴルフクラブと言った細長物体を収納する道具の概略的な斜視図。
【図２】本実施形態の上部材１のレール５ａ内の構成を示した概略上面図。
【図３】本実施形態の固定部材７の締結機構の例示的な実施形態を示す詳細図。
【図４】本実施形態の固定部材７の他の実施形態を示した図。
【図５】本実施形態の固定部材７の他の実施形態を示した図。
【図６】本実施形態の物体の底板４の詳細構成を示した図。
【図７】本実施形態で道具を収容ケースに収容して例えばゴルフバッグとして使用する場合の実施形態を示す図。
【発明を実施するための形態】
【００１４】
以下、本発明を図に示した実施形態例を用いて詳細に説明する。但し、この実施形態例に記載される構成要素、種類、組み合わせ、形状、その相対配置などは特定的な記載がない限り、この発明の範囲をそれのみに限定する主旨ではなく単なる説明例に過ぎない。
【００１５】
図１は、本実施形態のゴルフクラブと言った細長物体を収納する道具の概略的な斜視図である。道具は、底板４と、上部材１と、底板４と上部材１とを連結して上部材１を所定の高さに保持する複数の支柱３ａ〜３ｃと、底板４から３ｄによって所定の高さ付近の高さに保持された中仕切り部材２とを備えている。
【００１６】
上部材１には、使用者に向いた方向に切り欠きが形成され、中仕切り部材２が、支柱３ａ〜３ｄで囲まれた内側に延びた形状とされている。上部材１は、収納するべき細長物体の種類によって適切な高さとすることができ、ゴルフクラブの場合、概ね１ｍ程度、釣り竿などの場合、１．２ｍ乃至１．８ｍ程度の高さとすることができるが特に限定はない。また、中仕切り部材２は、同様に細長物体の種類によって上部材１との関係で適切な位置に底板４の適切な位置から延びた支柱３ｄによって支持することができる。
【００１７】
上部材１に形成された切り欠きは、上部材１の内側に沿って配置される細長物体を、使用者の側から見て概ね水平方向の移動により取り出すことを可能とするために形成されている。また支柱３ａ〜３ｃは、当該切り欠きからの細長物体の取り出しを妨げないように、切り欠きの位置をよけて配置されている。
【００１８】
中仕切り部材２は、図示する実施形態では、Ｓ字形状とされており、Ｓ字形状の両側に細長物体を固定することが可能とされている。また、Ｓ字形状の長手方向の両端部を結んだ仮想線は、切り欠きを通した細長物体の着脱を妨げないように、切り欠きの適切な位置を通るようにして配置されている。
【００１９】
上部材１および中仕切り部材２の長手方向中央部は、外側から内側まで通じるスリットが形成されている。このスリットは、道具を軽量化すると共に、スリット内に細長物体を固定するための固定部材（図示せず）を移動可能に取り付けるためのレール５ａ（図示せず）を配置するスペースを提供する。固定部材は、固定する細長物体の形状に応じて、例えばクラブヘッドがぶつからないような間隔となるように使用者側で移動自在とされている。なお、固定部材の詳細な構造については後述する。
【００２０】
底板４には、円弧状の溝６が複数形成されており、この溝６に細長物体の一端を収容させることで、細長物体の端部と上部材１または中仕切り部材２に配置された固定部材とによって、細長物体を堅固に固定している。
【００２１】
他の実施形態では、中仕切り部材２は、紙面の水平な方向に棒部材として上部材１の内側に配置することができる。この場合、棒部材もスリットを備えている。また、さらに他の実施の形態では、上部材１を、水平に保持するのではなく、細長物体の長さに応じて傾斜させて配置することもできるし、また見栄え良く螺旋状に高さが違ってゆくように形成することができる。
【００２２】
図２は、本実施形態の上部材１のレール５ａ内の構成を示した概略上面図である。上部材１のレール５ａ内には、破線で示すようにレールが適切な支持材によって固定されており、中仕切り部材２のレール５ｂにも、複数の固定部材７が、レール５ｂを通して移動可能に取り付けられている。
【００２３】
固定部材７の内側端部は、細長物体の径を収容可能なクリップ状の形状とされていて、細長物体の一部を固定することができる構成とされている。なお、クリップ状の形状は、細長物体を収容する前には、細長物体の径よりも小さな幅を備え、奥行きが十分に細長物体の径を収容できるように構成することが好ましい。
【００２４】
このようなクリップは、潤滑性のあるポリエチレン、ポリプロピレン、またはフッ素樹脂、天然または合成ゴムなどで形成することができる。また、固定部材７の外側端部は、レール５ａ、５ｂを挟んで互いに係合する締結機構を備えることが好ましい。この締結部材は、クリップを備える内側部材と、スナップインなどの動作で内側部材に結合可能な外側部材とから構成することができる。この締結機構は、固定部材７をレール５ａの適切な位置に配置した後、外側からピン状になった外側部材を、レールを挟み込むようにして内側部材に結合することで、固定部材７を仮留めすることで、使用者の希望する位置に固定部材７を配置可能とさせている。
【００２５】
さらに他の実施形態では、固定部材７の適切な位置にレールを通すことができる開口を形成しておき、当該開口内に延びるネジとして外側部材を形成することで、レール５ｂに対して固定部材７をネジ留めすることができる構成とすることもできる。さらに、外側部材を洗濯ばさみのような構成としておき、固定部材７の適切な位置で、レール５ｂを咬み込んでレール５ｂと固定部材７とを移動自在に固定することができる。なお、本発明で使用する締結機構はこれまで知られた如何なる機構・手段でも用いることができる。
【００２６】
また上部材１および中仕切り部材２に使用される固定部材７は、同一のものであっても異なるものであっても良い。
【００２７】
図３は、本実施形態の固定部材７の締結機構の他の実施形態を示す詳細図である。図３に示した実施形態では、レールは、上部材１のレール５ａの上下に固定されている。また、固定部材７は、内側部材と外側部材とが相互回転することで、レール５ａを内外から挟み込んで固定する実施形態である。外側部材は、レール５ａの隙間を通る厚みとされ、図示した実施形態では、径方向内側から固定部材をレール５ａの隙間に挿入した後、外側部材を９０°回転させることで、締結力を生じさせ、固定部材７を、レール５ａに対して固定させている。なお、上述したように同様の締結機能を提供できる限り、特に締結機構には限定されるものではない。
【００２８】
図４は、本実施形態の固定部材7の構成を上部材１およびレール５ａを断面として示した図である。図４に示した実施の形態では、固定部材７は、内側部材７ａと外側部材７ｂとから構成されている。内側部材７ａの内側端には、クリップが形成されていたゴルフクラブのシャフト８を固定することができるようにされている。またクリップに連続して上部材１のスリット内に挿入される棒状部材には、周方向に突起が形成されており、棒状部材は、レール５ａまで延びて、外側部材７ｂの中空パイプ部材に周方向に形成されたノッチに引っ掛かって固定部材７をレール５ａに固定することが可能とされている。
【００２９】
なお、外側部材７ｂの中空パイプ部材のレール５ａ側に向いた先端部は、レール５ａを充分に収容する幅のスロットが形成されていて、レール５ａを傷つけずに棒状部材にスナップインさせることで、内側部材７ａを適切な力で引きつけ、ソフトな力で固定する構成となっている。利用者が固定部材７を移動させる場合には、内側部材７ａと、外側部材７ｂとを内外から逆方向に引っ張ることで、両部材を分離させ、その後、利用者が希望する位置において固定部材７を取り付ける。
【００３０】
図５は、本実施形態における固定部材７のさらに他の実施形態を示す。図５に示した実施形態では、固定部材７の内側部材７ａの所定の位置には、レール５ａを収容するスロットが形成されており、内側部材７ａのレール５ａを超えた外側部分には内ネジ７ｄが形成されている。また、外側部材７ｂからはスリット内に向かってネジ部材が延びていて、ネジ部材の外周には、内ネジ７ｄに適合する外ネジ７ｃが形成されている。
【００３１】
利用者は、内側部材７ａをスリット内に挿入して先端部のスロットをレール５ａに位置決めし、その後外側部材７ｂを内側部材７ａにねじ込んで、内側部材７ａのスロットと、外側部材７ｂのネジ部材の先端でレール５ａを挟み込んで、固定部材７を固定する。固定部材７を移動させる場合、ネジを緩めることで、利用者の希望する位置に再度取り付けることができる。
【００３２】
図６は、本実施形態の物体の底板４の詳細構成を示した図である。底板４は、例えば一枚板、プラスチックプレート、パーティクルボードの集成材から構成することができる。底板４には、周方向に複数の溝が形成されていて、細長物体の一端を収容することができるようにされている。なお、溝６の幅や深さは、同一でなくとも良く、複数の形状に対応できるようにすることができる。支柱３ａ〜３ｄは、底板４に対して溝／ほぞ構造で固定することもできるし、木ねじなどで、底板４の裏側から固定することもできるし、底板４に形成した雌ねじと、支柱の端部に形成した雄ねじを螺合させることで固定しても良いし、接着剤で固定することもできる。また、支柱３ａ〜３ｄは、上部材１と、底板４の固定方法が異なっていても良い。
【００３３】
図７は、本実施形態で道具を収容ケースに収容して例えばゴルフバッグとして使用する場合の実施形態を示す。図７（ａ）に示す道具１０を、上部材１および底板４の大きさに適合するカバー１１内に収容することで、図７（ｂ）に示す形態で、道具１０が持ち運び可能となる。カバー１１は、布製、合成繊維製、革製、合成皮革製とすることができ、道具１０の上部材１に形成された切り欠き部分に開閉可能な扉が形成された構成となっている。扉は、カバー１１の一端に留められており、他端に掛けがねなどが配置されていて、閉じたままで固定でき、必要に応じて矢線Ａの方向に開くことで、ゴルフクラブなどの細長物体を垂直動作なく水平動作だけで取り出すことができる。
【００３４】
なお、この目的のため、カバー１１は、破線で示すようにフードカバーを取り付けられるようになっていても良い。また、カバー１１には、適切な位置に肩掛け紐などが取り付けられていて、キャディなどが運びやすくされていても良い。
【００３５】
これまで本発明について実施形態をもって説明してきたが、本発明は、図面に示した実施形態に限定されず、他の実施の形態、追加、変更、削除など、当業者が想到することができる範囲内で変更することができ、いずれの態様においても本発明の作用・効果を奏する限り、本発明の範囲に含まれるものである。
【産業上の利用可能性】
【００３６】
以上の通り、本発明によれば、ゴルフクラブなどの細長物体を、収納し、また取り出し容易に保持し、必要に応じてバッグなどに収容して持ち運び可能な細長物体用の道具および当該道具を備えるゴルフバッグを提供することができる。
【符号の説明】
【００３７】
１  上部材
２  中仕切り部材
３  支柱
４  底板
５ａ、５ｂ  レール
６  溝
７  固定器具
７ａ  内側部材
７ｂ  外側部材
８  シャフト
１０  道具
１１  カバー
【図１】
2015019675.tif 000003
【図２】
2015019675.tif 000004
【図３】
2015019675.tif 000005
【図４】
2015019675.tif 000006
【図５】
2015019675.tif 000007
【図６】
2015019675.tif 000008
【図７】
2015019675.tif 000009